(57)【要約】【課題】  全体強度が高く、製造コストが低く、量産に適合し、運搬保存に場所を取らず使用に便利で重複使用可能な八角形箱の提供。【解決手段】  箱本体の前、後、左、右面と上蓋、下蓋を一体に具えるように厚紙を裁断して形成された裁断片を具え、該前、後、左、右面間が接続面で接続され、各接続面の上端と下端に耳片が連設され、前、後、左、右面と接続面の包囲により八角形の箱本体形態が形成され、展開状態の裁断片において前面、後面の任意の一方の上端に上蓋が、もう一方の下端に下蓋が連設され、上蓋、下蓋の他の辺に折りしろが連設され、上蓋、下蓋の上端と下端の折りしろに横孔が設けられ、箱本体の対応位置に設けられた係止片との係合、位置決めに供され、このほか、横孔の一側辺中央に円弧係止孔、係止片の対応位置にタブが設けられ、折り曲げ、接着により完全な八角形箱が形成される。【選択図】        図２
0003107206.tif 000002
【実用新案登録請求の範囲】
【請求項１】
箱本体の前、後、左、右面と上蓋、下蓋とを一体に具えるように厚紙を裁断して形成された裁断片で構成された八角形箱において、
該前、後、左、右面間が接続面で接続され、各接続面の上端と下端に耳片が連設され、前、後、左、右面と接続面の包囲により八角形の箱本体形態が形成され、展開状態の裁断片において前面、後面の任意の一方の上端に上蓋が、もう一方の下端に下蓋が連設され、上蓋、下蓋の他の辺に折りしろが連設され、上蓋、下蓋の上端と下端の折りしろに横孔が設けられ、箱本体の対応位置に設けられた係止片との係合、位置決めに供され、折り曲げ、接着により完全な八角形箱が形成され、並びに全体強度が高く、製造コストが低く、量産に適合し、且つ運搬保存に場所を取らず、重複使用可能とされたことを特徴とする、八角形箱。
【請求項２】
請求項１記載の八角形箱において、耳片が四角形と三角形の二種類の形態のものが組み合わされた設計とされたことを特徴とする、八角形箱。
【請求項３】
請求項１記載の八角形箱において、折りしろの横孔の一側の中央に円弧係止孔が設けられ、それに対応する係止片にタブが設けられ、これにより上蓋と下蓋が重複開放使用可能とされたことを特徴とする、八角形箱。
【考案の詳細な説明】
【技術分野】
【０００１】
本考案は包装用八角形箱の構造設計に係り、特に、周知の分離式八角形箱を更に実用的なものに改良し、全体強度が高く、製造コストが低く、量産に適合し、且つ運搬保存に場所を取らず、重複使用可能とした八角形箱の構造に関する。
【背景技術】
【０００２】
周知の包装用八角形箱は、図１に示されるように、紙板を裁断、接着してなる箱と蓋で構成され、使用上、食品包装と保存の用途を提供する。
【０００３】
上述の周知の八角形箱及びその使用方式は、ほぼ何の問題も発生しないが、実際に使用する時、以下のような欠点があることが分かり、改善が求められている。
１．周知の八角形箱は構造設計上、箱と蓋が分離式形態とされ、ゆえに生産実施上、別個に製造され、手作業で接着、加工成形され、最後に組み合わされて完全な八角形箱が形成される。このような方法は過程が煩瑣で、労働力を消耗し、製造コストが高くなり、大量生産に不適合で、経済性に符合しない。
２．次に、成形且つ組立完成した八角形箱は、一定の体積を有するため、保存上、場所をとる恐れがあり、且つその体積を圧縮できず、運搬過程で相当に不便であり、特に大量の保存空間を占有するため、間接的に余分のコスト支出を増す。
３．更に、箱と蓋の構造強度に対する設計上、単純に下方の底板と上方の上板の厚さを利用して部分支持作用を達成して変形を防止しているが、実際にはこのような設計は明らかに抵抗力が不足し外力により側辺から圧迫を受けると、凹み、破損の状況を容易に発生する。
【考案の開示】
【考案が解決しようとする課題】
【０００４】
本考案は、全体強度が高く、製造コストが低く、量産に適合し、且つ運搬保存に場所を取らず、重複使用可能な八角形箱を提供することを目的としている。
【０００５】
この目的を達成するため、本考案は、箱本体の前、後、左、右面と上蓋、下蓋を一体に具えるように厚紙を裁断して形成された裁断片を具え、該前、後、左、右面間が接続面で接続され、各接続面の上端と下端に耳片が連設され、前、後、左、右面と接続面の包囲により八角形の箱本体形態が形成され、展開状態の裁断片において前面、後面の任意の一方の上端に上蓋が、もう一方の下端に下蓋が連設され、上蓋、下蓋の他の辺に折りしろが連設され、上蓋、下蓋の上端と下端の折りしろに横孔が設けられ、箱本体の対応位置に設けられた係止片との係合、位置決めに供され、このほか、横孔の一側辺中央に円弧係止孔、係止片の対応位置にタブが設けられ、折り曲げ、接着により完全な八角形箱が形成される。この八角形箱は、全体強度が高く、製造コストが低く、量産に適合し、且つ運搬保存に場所を取らず、重複使用可能である。
【課題を解決するための手段】
【０００６】
請求項１の考案は、箱本体の前、後、左、右面と上蓋、下蓋とを一体に具えるように厚紙を裁断して形成された裁断片で構成された八角形箱において、
該前、後、左、右面間が接続面で接続され、各接続面の上端と下端に耳片が連設され、前、後、左、右面と接続面の包囲により八角形の箱本体形態が形成され、展開状態の裁断片において前面、後面の任意の一方の上端に上蓋が、もう一方の下端に下蓋が連設され、上蓋、下蓋の他の辺に折りしろが連設され、上蓋、下蓋の上端と下端の折りしろに横孔が設けられ、箱本体の対応位置に設けられた係止片との係合、位置決めに供され、折り曲げ、接着により完全な八角形箱が形成され、並びに全体強度が高く、製造コストが低く、量産に適合し、且つ運搬保存に場所を取らず、重複使用可能とされたことを特徴とする、八角形箱としている。
請求項２の考案は、請求項１記載の八角形箱において、耳片が四角形と三角形の二種類の形態のものが組み合わされた設計とされたことを特徴とする、八角形箱としている。
請求項３の考案は、請求項１記載の八角形箱において、折りしろの横孔の一側の中央に円弧係止孔が設けられ、それに対応する係止片にタブが設けられ、これにより上蓋と下蓋が重複開放使用可能とされたことを特徴とする、八角形箱としている。
【考案の効果】
【０００７】
本考案の八角形箱は、全体強度が高く、製造コストが低く、量産に適合し、且つ運搬保存に場所を取らず、重複使用可能である。
【考案を実施するための最良の形態】
【０００８】
本考案の八角形箱は、図２〜図３に示されるように、厚紙を一体に裁断してなる裁断片を折り曲げ及び接着してなり、該裁断片は、前、後、左、右面１０、１１、１２、１３及び上、下蓋１４、１５等の部分を具えている。
【０００９】
該前、後、左、右面１０、１１、１２、１３は接続面１６を介して相互に接続され、各接続面１６の上端と下端に耳片１６１が連設され、該耳片１６１は四角形と三角形の二種類の形態のものを有し、こうして折り曲げにより包囲して八角形箱の形態を形成する。また、前、後面１０、１１のうち任意の一方の上端に上蓋１４が、もう一方の下端に下蓋１５が連設され、且つ上蓋と下蓋のその他の辺に折りしろ１４１、１５１が設けられ、また上蓋１４の上端辺と下蓋１５の下端辺の折りしろ１４１、１５１に更に横孔１４２、１５２が形成され、該横孔１４２、１５２の側辺中央に更に円弧係止孔１４３、１５３が設けられて前面１０と後面１１の該円弧係止孔１４３、１５３に対応する位置に設けられた下係止片１０１、１１１との係合に供される。
【００１０】
図４から図６を参照されたい。上述の八角形箱１の構造は、実際の使用の前に、図４のように裁断された裁断片の前、後、左、右面１０、１１、１２、１３及び接続面１６がそれぞれ折り曲げられ、右面１３と前面１０の一側の相互に対応する接続面１６が接着剤で接着されて図５に示されるように八角形態の中空箱体が形成され、最後に前面１０と後面１１の係止片１０１、１１１を上蓋１４の上端と下蓋１５の下端の横孔１４２、１５２内に係合させれば、図６に示される完全な一体式八角形箱が形成される。
【００１１】
上述の全ての折りしろ１４１、１５１と耳片１６１は前、後、左、右面１０、１１、１２、１３と上蓋１４と下蓋１５結合時に完全に耳片１６１が折りしろ１４１、１５１の両側に係合し、相互の係止位置決め作用を形成し、ゆえに結合後の八角形箱１の上蓋１４と下蓋１５が簡単には開放されず、特に各折りしろ１４１、１５１が適宜支持作用を提供して八角形箱１の全体強度を強固とする効果を達成する。また使用者が上蓋１４と下蓋１５を順調に開放できるように、折りしろ１４１、１５１上の横孔１４２、１５２の一側に円弧係止孔１４３、１５３が設けられ、且つ対応する係止片１０１、１１１にタブ１０２、１１２が設けられ、使用上、円弧係止孔１４３、１５３により使用者がタブ１０２、１１２を指でつかみ上蓋１４と下蓋１５を開放させる目的を達成するのに便利であり、タブ１０２、１１２の作用は使用者が簡単に係止片１０１、１１１を横孔１４２、１５２より離脱させて、上蓋１４と下蓋１５を開放する目的を達成できるようにすることにあり、この設計により、上蓋１４と下蓋１５の重複開放使用が行なえる。
【００１２】
使用者上、八角形箱１の前、後、左、右面１０、１１、１２、１３及び上蓋１４と下蓋１５及び全ての接続面１６が一体に形成されているため、裁断が容易で、製造が簡単で、且つ上述の構造中に組み合わされた折りしろ１４１、１５１と耳片１６１が形成する相互係合による位置決めと支持作用により、八角形箱１の全体強度が高められ、外力を受けても変形しにくい。
【００１３】
図７に示されるように、本考案の八角形箱１は厚紙を裁断、折り曲げ、接着後の未成形前の半製品状態の時、扁平な形態を形成し、複数の扁平状の八角形箱１を積み重ねて置くことができ、こうして、運搬、運送及び保存上、更に簡単であり、大幅にコストを減らせ、且つ包装箱が破損しにくい効果を有する。
【００１４】
このほか、図８に示されるように、本考案の八角形箱１はその作用する厚紙表面が光沢面形式とされ、且つ任意に美しいパターンを印刷可能で、全体の包装箱の外観を良くし、並びに全体の質感を高め装飾性を高めることができる。
総合すると、本考案の八角形箱は周知の物品に較べて顕著に機能が高められ、実用性が高められており、完全に実用新案登録の要件を具えている。
【図面の簡単な説明】
【００１５】
【図１】本考案の八角形箱の構造表示図である。
【図２】本考案の平面展開図である。
【図３】本考案の立体展開図である。
【図４】本考案の折り曲げ成形表示図（一）である。
【図５】本考案の折り曲げ成形表示図（二）である。
【図６】本考案の成形外観立体図である。
【図７】本考案の実施例表示図である。
【図８】本考案の別の実施応用例表示図である。
【符号の説明】
【００１６】
１  八角形箱            １０  前面
１０１  係止片          １０２  タブ
１１  後面              １１１  係止片
１１２  タブ            １２  左面
１３  右面              １４  上蓋
１４１  折りしろ        １４２  横孔
１４３  円弧係止孔      １５  下蓋
１５１  折りしろ        １５２  横孔
１５３  円弧係止孔      １６  接続面
１６１  耳片
【図１】
0003107206.tif 000003
【図２】
0003107206.tif 000004
【図３】
0003107206.tif 000005
【図４】
0003107206.tif 000006
【図５】
0003107206.tif 000007
【図６】
0003107206.tif 000008
【図７】
0003107206.tif 000009
【図８】
0003107206.tif 000010